(57)【要約】  本発明は、外側導体（１）と、中央導体（３）と、外側導体（１）および中央導体（３）を接続する絶縁体（５）とを有し、外側導体（１，１′）が別の同軸挿入型コネクタとの導電性接触のための軸方向接触表面を有する同軸挿入型コネクタに関連する。本発明は、外側導体（３）の軸方向接触表面が一つ以上の突出部（１０）を備えることを特徴とする。
2014516196.tif 000002
【特許請求の範囲】
【請求項１】
外側導体（１，１′）と、中央導体（３）と、前記外側導体（１，１′）および中央導体（３）を接続する絶縁体（５）とを有し、前記外側導体（１，１′）が別の同軸挿入型コネクタとの導電性接触のための軸方向接触表面を有する同軸挿入型コネクタにおいて、前記外側導体（３）の前記軸方向接触表面が一つ以上の突出部（１０）を備えることを特徴とする同軸挿入型コネクタ。
【請求項２】
前記軸方向接触表面が先端まで先細りである突出部（１０）を備えることを特徴とする、請求項１に記載の同軸挿入型コネクタ。
【請求項３】
前記軸方向接触表面が波形の突出部を備えることを特徴とする、請求項２に記載の同軸挿入型コネクタ。
【請求項４】
前記突出部（１０）が同じピッチで配設されることを特徴とする、請求項１乃至３のいずれかに記載の同軸挿入型コネクタ。
【請求項５】
前記外側導体（１，１′）または前記外側導体（１，１′）を囲繞する外側シェルが、別の対応同軸挿入型コネクタへの接続のための外ねじまたはリングナット（１１）を有することを特徴とする、請求項１乃至４のいずれかに記載の同軸挿入型コネクタ。
【請求項６】
ＤＩＮ４２７３３に適合するように設計されることを特徴とする、請求項１乃至５のいずれかに記載の同軸挿入型コネクタ。
【請求項７】
同軸プラグ（８）の形の同軸挿入型コネクタと、同軸カプラ（７，７′）の形の同軸挿入型コネクタとを有し、前記同軸挿入型コネクタの少なくとも一方が請求項１乃至６のいずれかにしたがって設計される、同軸挿入型接続部。
【請求項８】
前記同軸カプラ（７，７′）の前記外側導体（１，１′）、または前記外側導体（１，１′）を囲繞する前記同軸カプラの外側シェルが外ねじを有し、前記同軸プラグ（８）が、前記外ねじに締結され得るリングナット（１１）を有することを特徴とする、請求項７に記載の同軸挿入型接続部。
【発明の詳細な説明】
【技術分野】
【０００１】
本発明は、同軸挿入型コネクタ、特にＤＩＮ（ドイツ工業規格）４７２２３にしたがって設計される同軸挿入型コネクタと、このような二つの同軸挿入型コネクタにより形成される同軸挿入型接続部とに関連する。
【背景技術】
【０００２】
ＤＩＮ４７２２３に基づいて規格化されているのは、中央導体がおよそ７ｍｍの外径を持つとともに外側導体がおよそ１６ｍｍの内径を持つ同軸挿入型コネクタである。そのためＤＩＮ４７２２３による同軸挿入型コネクタは、７／１６コネクタとも呼ばれる。直径間の特定比率のため、そして誘電体としての空気により、中央および外側導体の挿入端部の間にはおよそ５０Ωの特性インピーダンスが得られる。
【０００３】
ＤＩＮ４７２２３にしたがって同軸プラグの形で設計される同軸挿入型コネクタは、ピン形であるとともに、同軸カプラの形の同軸挿入型コネクタの中央導体のソケット形の対応端部に挿入される中央導体の端部を、挿入端部に有する。こうして挿入される時に、同軸プラグの外側導体は、同軸カプラの外側導体の内側に形成される環状段部に同軸プラグの外側導体の管形端部が押圧されることで、軸方向と径方向との両方において同軸カプラの外側導体と接触する。これを行うのに必要とされる軸方向の力は、挿入型コネクタの一つに回転可能に取り付けられるとともに他の対応挿入型コネクタに設けられる外ねじに締結されるリングナットによって印加される。この締結接続は同時に、望ましくない形で緩むことのないように同軸挿入型接続部を固定するのに役立つ。この種の同軸挿入型コネクタは、例えば特許文献１から知られている。
【０００４】
同軸挿入型接続部の領域での相互変調をできる限り低く抑えるため、これらの接続部の一部についてはきわめて低い信号ノイズ比が設定され、同軸挿入型接続部を構成する二つの同軸挿入型コネクタを非常に高い軸方向の力で互いに押圧することによってのみこれが達成され得る。例えば携帯電話ネットワークの基地局で配線が行われる時には、この種の同軸挿入型接続部のリングナットが３５Ｎｍまでのトルクで締め付けられて、必要とされる信号ノイズ比を達成する。そのため、この種の同軸挿入型接続部がこの手法で確実に組み立てられることを保証する唯一の手法は、少なからぬ労力および費用を必要とする充分に大型のトルクスパナの使用によるものである。
【０００５】
また、複数のケーブルがグループとして変圧器の端子スタッドに接続され得るようにするアダプタが、特許文献２から知られている。このような接続部の各々は、関連のアダプタに属する環状連結体がクランプされて接続部を形成する環状連結体を包含する。連結体の接触表面は、噛合い部材の対応の陥入部および突出部がそれぞれ係合する突出部および陥入部を備える。その意図は、こうして二つの接触体の間の接触エリアをできる限り広くすることである。
【先行技術文献】
【特許文献】
【０００６】
【特許文献１】独国特許第４３００２４３Ｃ１号明細書
【特許文献２】米国特許第６，８３７，７５４Ｂ１号明細書
【発明の概要】
【発明が解決しようとする課題】
【０００７】
上記の先行技術を出発点とすると、本発明の元となる目的は、改良型の同軸挿入型コネクタと、この種の二つの同軸挿入型コネクタにより形成される対応の同軸挿入型接続部とを特定することであった。特に目標とされたのは、本発明による同軸挿入型接続部が低い相互変調により識別されることであり、この相互変調は、二つの同軸挿入型コネクタを接続するのに低い軸方向の力のみを加えることによっても達成される。
【課題を解決するための手段】
【０００８】
この目的は、独立請求項の主題によって達成される。本発明による同軸挿入型コネクタと本発明による同軸挿入型接続部との有利な形態は、まとまった従属請求項のそれぞれの主題を形成し、本発明についての以下の説明から理解され得る。
【０００９】
本発明の元となる発想は、互いに押圧される二つの導体、特に一般的な種類の同軸挿入型コネクタの二つの外側導体の間の電気接触の形成が、コネクタの軸方向接触表面を、もはや（単一の）径方向平面ではなく、少なくとも二つ、好ましくは複数の異なる平面に延在させることによって改良されることである。
【００１０】
外側導体と、中央導体と、外側および中央導体を接続する絶縁体とを一般的に有し、第２の同軸挿入型コネクタの外側導体との導電性接触のための軸方向接触表面を外側導体が有する本発明による同軸挿入型コネクタは、（少なくとも）外側導体の軸方向接触表面が一つ以上の突出部を備えることを特徴とする。この好ましい複数の突出部により、二つの同軸挿入型コネクタが比較的低い軸方向の力のみにより互いに押圧される時でも、接続される二つの同軸挿入型コネクタの間に、信号ノイズ比が低い規定の接点が形成される。同軸挿入型接続部の組立、つまり二つの同軸挿入型コネクタの接続は、この手法でかなり単純化され得る。
【００１１】
本発明によるこのような同軸挿入型接続部の各々は、同軸プラグの形の同軸挿入型コネクタと、同軸カプラの形の同軸挿入型コネクタとを有し、同軸挿入型コネクタの少なくとも一方、好ましくは両方が本発明にしたがって設計される。
【００１２】
本発明による同軸挿入型コネクタの好適な形態では、外側導体の軸方向接触表面は、先端まで先細りである突出部を備える。特に好ましい例として、突出部は三角形の基本形のものである（つまり直線の辺を有する）ことで、外側導体の端面に「鋸歯」輪郭を与える。
【００１３】
代替的形態では、本発明による同軸挿入型コネクタの外側導体の軸方向接触表面は、例えば、波形のものである突出部を有しても同じくよい。
【００１４】
好ましくは先端まで先細りであるか、波形である一つ以上の突出部を有する同軸挿入型コネクタについての本発明による設計は、外側導体の軸方向接触表面が（単一の）径方向平面に延在する従来の同軸挿入型コネクタに接続される時にも有利である。しかし、特に好ましいのは、同軸挿入型コネクタの両方が本発明にしたがって設計されるように用意されることであり、その事例では、特に良好な電気接触を行うため、二つの同軸挿入型コネクタの突出部ができる限り高い自由あそびで互いに係合するような用意が設けられることが好ましい。この目的のため、外側導体のそれぞれの軸方向接触表面にある個々の突出部は好ましくは同じ寸法であり、やはり好ましい例として、それぞれの外側導体の（環状）軸方向接触表面の周囲に同じピッチで分配されるように配設される。
【００１５】
同軸挿入型接続部を捻曲しないように、また適切な軸方向の力が発生されるように軸方向に固定するため、本発明による同軸挿入型コネクタの外側導体が外ねじまたはリングナットを有して対応の第２同軸挿入型コネクタ（この時には噛合い部材つまりリングナットまたは外ねじを有する）に締結されて同軸挿入型接続部を形成するための用意が設けられることが好ましい。そのため、同軸挿入型コネクタのうちの第１同軸挿入型コネクタは外ねじを有する外側導体を有し、対応の第２同軸挿入型コネクタは、第１同軸挿入型コネクタの外ねじに締結され得るリングナットを有する。
【００１６】
同軸挿入型コネクタについての本発明による設計は、他の点、つまり特にその径方向寸法に関してＤＩＮ４７２２３にしたがって設計される同軸挿入型コネクタを改良するのに特に適している。
【００１７】
図面に示された実施形態の参照により、本発明が以下で詳細に説明される。
【図面の簡単な説明】
【００１８】
【図１】本発明による同軸挿入型接続部の第１実施形態の縦断面である。
【図２】図１に示された同軸挿入型接続部の分解等角図である。
【図３】本発明による同軸挿入型接続部の第２実施形態の縦断面である。
【発明を実施するための形態】
【００１９】
図１は、本発明による二つの同軸挿入型コネクタが一緒に接続された、本発明による同軸挿入型接続部の第１実施形態を示す。
【００２０】
同軸挿入型コネクタの各々は、同軸ケーブルの対応の外側導体２への導電性接続部を有する外側導体１を包含する。同軸挿入型コネクタの各々は、同軸ケーブルの対応の中央導体４への導電性接続部を有する中央導体３も包含する。同軸挿入型コネクタの各々の外側導体１および中央導体３は、円板形状の絶縁体５を介して一緒に接続され、同軸プラグイン接続がプラグ接続状態にある場合には、外側導体１と中央導体３とを絶縁する誘電体として空気が含まれる環状空間６が、外側導体１および中央導体３の挿入端部の領域に設けられる。
【００２１】
図１の左側に示されている第１同軸挿入型コネクタは同軸カプラ７の形を取り、中央導体３の挿入端部は、同軸プラグ８の形を取る第２同軸挿入型コネクタの中央導体３のピン形の対応端部を収容するブシュ状の形を取る。同軸カプラ７の外側導体１の内側には、外側導体１の軸方向ストップとして、また同時に同軸プラグ８の外側導体１の対応挿入端部のための軸方向接触表面として作用する径方向段部９も形成されている。
【００２２】
図１に示された二つの同軸挿入型コネクタの外側導体１の軸方向接触表面は、本発明によれば鋸歯形のものである、つまり同じピッチで配設されて先端まで先細りとなるとともに、他方の外側導体１となるものの接触表面からの全く同じ突出部１０の間に係合する複数の同一突出部１０を形成するのである。
【００２３】
二つの同軸挿入型コネクタをしっかりと接続するため、同軸プラグ８は、同軸カプラの対応外ねじに係合する内ねじを持つリングナット１１を備え、二つの同軸挿入型コネクタは二つのねじ付き部品を一緒に締結することによって軸方向に互いに押圧される。このように押圧される時に、同軸プラグ８の外側導体１に回転可能に取り付けられるリングナット１１は、同軸プラグ８の外側導体１にある径方向突出部１２に支持される。
【００２４】
図３に示された本発明による同軸挿入型コネクタの実施形態は、外側導体１の軸方向接触表面に鋸歯突出部１０を有するように本発明にしたがって設計されるのが、右側に示された同軸プラグ８だけであるという点でのみ、図１に示されたものと異なっている。他方の同軸カプラ７′の外側導体１′の対応の軸方向接触表面は、先行技術にしたがって設計されている、つまり（単一の）径方向平面に所在している。
【図１】
2014516196.tif 000003
【図２】
2014516196.tif 000004
【図３】
2014516196.tif 000005
【国際調査報告】
2014516196.tif 000006
2014516196.tif 000007
2014516196.tif 000008
2014516196.tif 000009
2014516196.tif 000010
2014516196.tif 000011